(57)【要約】  本発明は、化学化合物を放出する方法に関する。当該方法は、化学化合物を封じ込める容器を毛髪にわたって分布するステップであり、前記容器は、転移温度に達した後で化学化合物を放出するように構成される、ステップと、転移温度以上の所定の温度まで毛髪を加熱するステップとを含む。毛髪を加熱するステップは、毛髪から毛髪の近くにある容器のうち１つ又は複数の容器への熱伝達を可能にし、それによって、１つ又は複数の容器は転移温度に達し、さらに、化学化合物を放出する。この様式で、毛髪の近くにある容器のみをその転移温度まで加熱し、さらに、化合物を放出することができる。その結果、化合物は、毛髪が存在する箇所に局所的にのみ放出され、毛髪が存在しない他の皮膚領域は、もしかするとネガティブな化合物の副作用から保護される。
2015523152.tif 000002
【特許請求の範囲】
【請求項１】
化学化合物を放出する方法であって、
前記化学化合物を封じ込める容器を毛髪にわたって分布するステップであり、前記容器は、転移温度に達した後で前記化学化合物を放出するように構成される、ステップと、
前記転移温度以上の所定の温度まで前記毛髪を加熱するステップと、
を含み、
前記毛髪を加熱するステップは、前記毛髪から前記毛髪の近くにある前記容器のうち１つ又は複数の容器への熱伝達を可能にし、それによって、前記１つ又は複数の容器は前記転移温度に達し、さらに、前記化学化合物を放出する、方法。
【請求項２】
前記毛髪は、光を用いて照射されることによって加熱され、前記光の波長又は波長の範囲は、前記毛髪によって吸収される前記光の部分が前記容器及び前記化学化合物によって吸収される前記光の部分よりも多いように選択される、請求項１に記載の方法。
【請求項３】
前記光は、レーザー又はインテンス・パルス・ライトの光源によって生成される光を含む、請求項２に記載の方法。
【請求項４】
前記容器はリポソームを含む、請求項１乃至３のいずれか一項に記載の方法。
【請求項５】
前記リポソームは、ｌｙｓｏ−ＰＣ／ＤＰＰＣ／ＤＰＰＥ−ＰＥＧ２０００を含む、請求項４に記載の方法。
【請求項６】
前記化学化合物は、酵素、ホルモン又はチオグリコレートのうち１つ又は複数の化合物を含む、請求項１乃至５のいずれか一項に記載の方法。
【請求項７】
前記化学化合物は、前記放出された化学化合物と接触している前記毛髪の処理及び／又は除去のために構成される、請求項１乃至６のいずれか一項に記載の方法。
【請求項８】
前記容器を毛髪にわたって分布するステップは、前記毛髪を含む皮膚領域にわたって前記容器を分布するステップを含む、請求項１乃至７のいずれか一項に記載の方法。
【請求項９】
化学化合物を放出するためのアセンブリであって、
毛髪にわたる分布のための局所製剤であり、前記化学化合物を封じ込める容器を含み、前記容器は、転移温度に達した後で前記化学化合物を放出するように構成される、局所製剤と、
前記転移温度以上の所定の温度まで前記毛髪を加熱するための熱源と、
を含み、
前記毛髪の加熱の後で、前記毛髪から前記毛髪の近くにある前記容器のうち１つ又は複数の容器までの熱伝達が可能にされ、それによって、前記１つ又は複数の容器は、前記転移温度に達し、さらに、前記化学化合物を放出する、アセンブリ。
【請求項１０】
前記熱源は、光を用いて前記毛髪を照射するための光源を含み、前記光の波長又は波長の範囲は、前記毛髪によって吸収される前記光の部分が前記容器及び前記化学化合物によって吸収される前記光の部分よりも多いように選択される、請求項９に記載のアセンブリ。
【請求項１１】
前記光の波長又は波長の範囲は４００ナノメートルを超える、請求項１０に記載のアセンブリ。
【請求項１２】
前記光源は、レーザー又はインテンス・パルス・ライトの光源を含む、請求項１０又は１１に記載のアセンブリ。
【請求項１３】
前記熱源は圧力波源を含む、請求項９に記載のアセンブリ。
【請求項１４】
前記容器はリポソームを含む、請求項９乃至１３のいずれか一項に記載のアセンブリ。
【請求項１５】
前記局所製剤は、前記容器を含むクリーム、スプレー、ジェル、懸濁液又は溶液を含む、請求項９乃至１４のいずれか一項に記載のアセンブリ。
【発明の詳細な説明】
【技術分野】
【０００１】
本発明の実施形態は、一般に、毛髪処理の分野に関し、より具体的には、毛髪上に化学化合物を放出するための方法及びシステムに関する。
【背景技術】
【０００２】
歴史的に、多くの技術が、種々の体の部分の望まれていない毛髪を除去することにおいて使用されてきた。腕及び脚の脱毛に対して一般的に利用される１つの技術は、チオグリコレート等の生理活性成分を含有する脱毛クリームの使用に頼っている。毛髪を弱めることが、容易な脱毛をもたらすケラチンのジスルフィド架橋の酸化によって生じる。この技術の１つの欠点は、表皮が高い含有量のケラチンを含有するため、チオグリコレート混合物が長時間適用された場合に皮膚の損傷及び刺激が生じるということである。別の欠点は、例えばＶｅｅｔ（登録商標）等のチオグリコレートベースのクリームは顔には使用することができないということである。これは、チオグリコレートを使用した顔の毛髪の溶解はゆっくり過ぎて、容認できない皮膚の損傷を生じるという事実のためである。
【０００３】
他の技術は、光を用いた毛髪の照射によって達成される毛髪の熱分解に基づいている。例えば、ＷＯ９７／３８６３８及びＷＯ２００９／０７３０１７は、皮膚及び毛包において自然発生する要素であるメラニンのさらなる量を、毛包部位にて又はその付近において優先的に堆積させることに頼る永久脱毛の方法を記載している。優先的な堆積は、毛包の近く又は毛包の内側の特異的部位に結合するために特に選択され且つ形成されたメラニンベースの化合物をリポソームに封じ込めることによって達成される。そのようなリポソームを含有する媒質が皮膚に対して局所的に適用された後で、メラニンによって容易に吸収される周波数のレーザー光が皮膚に向けられる。添加されたメラニンの量の結果として、より多くの割合の入射光が毛包にて吸収され、毛包の熱分解及び死を引き起こす。このアプローチの１つの欠点は、メラニン含有リポソームが、必ずしも毛包の近くにあるわけではない領域に堆積され、それらの領域において望ましくない増加した光の吸収をもたらし得るということである。
【発明の概要】
【発明が解決しようとする課題】
【０００４】
当技術分野において必要とされているのは、上記の欠点の少なくとも一部を減らす様式で脱毛、ヘアカラー又は他の処理のための化学化合物を提供する方法である。
【課題を解決するための手段】
【０００５】
本発明の一態様によると、毛髪上に化学化合物を放出する方法が開示されている。当該方法は、化学化合物を封じ込める容器を毛髪にわたって分布するステップを含み、容器は、転移温度に達した後で化学化合物を放出するように構成される。当該方法は、転移温度以上の所定の温度まで毛髪を加熱するステップも含む。毛髪の加熱は、毛髪から毛髪の近くにある容器のうち１つ又は複数の容器への熱伝達を可能にし、それによって、１つ又は複数の容器は転移温度に達し、さらに、化学化合物を放出する。次に、毛髪と接触する放出された化学化合物は、例えば、毛髪を処理することができる。
【０００６】
本発明は、容器内に化学化合物を封じ込めること、毛髪にわたって容器を分布すること、及び、容器の直接加熱を回避するか又は最小限にする様式で毛髪を選択的に加熱することが、容器の温度よりも高い温度まで加熱される毛髪を生じ、従って、加熱された毛髪から容器までの熱伝達を可能にするという認識に基づいている。そのような容器が、特定の転移温度に達した後で化合物を放出するよう構成されるように温度感受性である場合、及び、毛髪が、容器の転移温度以上の温度まで加熱される場合、加熱された毛髪から容器までの熱伝達が、最終的に、容器をその転移温度まで加熱し、さらに、容器は化合物を放出することになる。この様式で、毛髪の近くの、好ましくは、毛髪に隣接するか又は接触する容器のみを、その転移温度まで毛髪からの熱伝達を介して加熱することができ、さらに、そのような容器のみが化合物を放出することができる。その結果、化合物は、毛髪が存在する箇所に局所的にのみ放出され、毛髪が存在しない他の皮膚領域は、もしかするとネガティブな化合物の副作用から保護される。
【０００７】
一実施形態において、毛髪の選択的加熱は、光を用いて毛髪を照射することによって達成されてもよく、前記光の波長又は波長の範囲は、毛髪によって吸収される光の部分が容器及び化学化合物によって吸収される光の部分よりも多く、容器よりも高い温度まで毛髪が光によって加熱されるということ、並びに、容器が毛髪からの熱伝達を介してその転移温度に達するだけであるということを確実にするように選択される。安全上の理由で、光の波長は、好ましくは、４００ナノメートル（ｎｍ）以上である。種々の実施形態において、そのような光は、レーザー、レーザーダイオード、発光ダイオード（ＬＥＤ）、又は、フラッシュランプ等のインテンス・パルス・ライト（ＩＰＬ）の光源のうちの１つ又は複数の光源によって生成することができる。
【０００８】
代わりの実施形態において、毛髪の選択的加熱は、例えば超音波トランスデューサ等の圧力波源を使用して達成されてもよい。
【０００９】
一実施形態において、温度感受性の容器は、脂質二重層の殻を含むキャリアの形状であり得る。特に、そのような殻は空洞を囲い込むことができ、さらに、半透過性であって典型的にはリン脂質を含み得る。キャリアは、直径がほぼ数ミクロンから何十ミクロン程度である粒径を有するマイクロキャリア、及び、ほぼ何十から何百ナノメートル程度の粒径を有するナノキャリアであり得る。本発明と関連して、キャリアは以下において「リポソーム」と呼ばれる。リポソームは、典型的に、（「内腔」と呼ばれる）空洞を囲い込む二重膜を含む球状の小胞である。この二重層は、少なくとも１つのリン脂質から構成することができ、さらに、コレステロールを含んでも含まなくてもよい。温度感受性のリポソーム（ＴＳＬ）は、脂質二重層の融解相転移温度（Ｔｍ）にて、封じ込められた分子を放出する。
【００１０】
一実施形態において、容器は、例えば容器を保有するクリーム、スプレー、ジェル、懸濁液又は溶液等、局所製剤の形状で毛髪にわたって分布することができる。
【００１１】
一実施形態において、毛髪にわたって容器を分布するステップは、毛髪を含む皮膚領域にわたって容器を分布するステップを含み得る。そのような容器は、十分な熱が利用可能である毛髪の付近のみで選択的に開けられ、その中に貯蔵された化学化合物を放出するが、他の位置では閉じたままである。これは、化学物質から皮膚を保護しながら容器の容易な適用を可能にする。
【００１２】
一実施形態において、化学化合物は、例えばヘアカラー、ヘアコンディショニング、脱毛又はいかなる他の処理等、放出された化合物と接触する毛髪の処理のための化合物であり得る。例えば、化学化合物は、酵素、ホルモン、又は、例えばチオグリコレートのような他の化学物質等、水溶性の構成成分を含み得る。
【００１３】
本発明の別の態様によると、毛髪上に化学化合物を放出するためのアセンブリが提供される。当該アセンブリは、毛髪にわたる分布のための局所製剤及び熱源を含む。局所製剤は、化学化合物を封じ込める容器を含み、容器は、転移温度に達した後で化学化合物を放出するように構成される。熱源は、転移温度以上の所定の温度まで毛髪を加熱するように構成され、それによって、毛髪から毛髪の近くにある容器のうち１つ又は複数の容器までの熱伝達が可能にされ、１つ又は複数の容器に転移温度まで到達させ、さらに、化学化合物を放出させる。そのようなアセンブリは、例えば光脱毛（ｐｈｏｔｏｅｐｉｌａｔｉｏｎ）装置、又は、光ベースのシェーバー若しくはグルーマー等、光ベースの毛髪処理製品において使用することができる。
【００１４】
以下において、本発明の実施形態がさらに詳細に記載される。しかし、これらの実施形態は、本発明の保護の範囲を限定するとして解釈することはできないということが正しく理解されるべきである。
【００１５】
全ての図において、描かれた寸法は例証のためだけであり、本当の寸法又は比率を反映しているわけではない。全ての図が概略的であり、さらに、一定の比例に応じて描かれているのではない
【図面の簡単な説明】
【００１６】
【図１Ａ】本発明の一実施形態による、化学化合物を封じ込めている転移温度未満の温度感受性の容器を例示した図である。
【図１Ｂ】本発明の一実施形態による、化学化合物を放出している転移温度以上の図１Ａの温度感受性の容器を例示した図である。
【図２】本発明の一実施形態による、温度によって誘発される温度感受性の容器からの生理活性成分の放出による脱毛を例示した図である。
【図３】本発明の一実施形態による、温度感受性の容器からの例えばヘラカラーのための毛髪染料、コンディショナー又は治療用物質の放出を例示した図である。
【図４】本発明の一実施形態による、強化された光脱毛を例示した図である。
【図５】光によって誘発される、温度感受性のリポソームにおいて封じ込められた蛍光化学化合物の放出の実験的証拠を例示した図である。
【発明を実施するための形態】
【００１７】
以下の説明において、数多くの特定の詳細が明記され、本発明のより完全な理解を提供している。しかし、本発明は、これらの特定の詳細のうち１つ又は複数の詳細を要することなく実行されてもよいということが当業者には明らかになる。他の例において、よく知られた特徴は、本発明を不明瞭にすることを回避するために記載されていない。
【００１８】
図１Ａ及び図１Ｂはそれぞれ、本発明の一実施形態による温度感受性の容器１００を例示している。図１Ａにおいて示されているように、容器１００がその転移温度よりも下の温度にある場合、容器１００は閉じられ且つ化学化合物１１０を封じ込めている。この状態において、好ましくは、化学化合物１１０は、容器１００から漏れることは全くないか、又は、少なくとも、有意な量で容器１００から放出されることはない。しかし、図１Ｂにおいて示されているように、容器１００がその相転移温度まで加熱される場合、容器１００は開き且つ化合物１１０を放出するように構成されている。図１Ｂは、容器１００が開いて１つの側（図１Ｂにおいて右側）から化合物１１０を放出しているということを例示しているけれども、当業者は、他の実施形態において、容器１００が他の様式で化合物１１０を放出することができ、これらの様式の全てが本発明の範囲内にあるということを認識することになる。例えば、容器１００がその転移温度に達する場合、容器１００の壁は、化合物１１０がその壁を通って吸い出すことができるように多孔性になり得る。或いは、その転移温度に達した後、容器１００は部分的又は完全に溶け、その結果、同様に化合物１１０を放出する。
【００１９】
本発明は、例えば皮膚等の毛髪以外のいずれの上に放出される化合物１１０の量を最小限にする様式で、容器１００から毛髪上に化合物１１０を放出する方法を提供する。
【００２０】
当該方法は、毛髪にわたって複数の容器１００を分布するステップで始まる。分布の後、容器１００は、その転移温度よりも下の温度にあり、従って閉じられている。種々の実施形態において、容器１００は、例えばクリーム、スプレー、ジェル、懸濁液、溶液又は粉末等、いかなる種類の局所製剤内に含ませることによっても分布することができる。容易な適用のため、一実施形態において、容器１００は、例えば毛髪の上のみに広げられ且つ毛髪の付近及び／又はその下の皮膚領域上には広げられないものに対立するものとして、毛髪を含む皮膚領域全体にわたって分布することができる。
【００２１】
毛髪にわたって容器１００が分布されると、毛髪は選択的に加熱される。本明細書において使用される場合、「選択的加熱」という表現は、毛髪の温度が容器１００及びその中の化学化合物１１０の温度よりも速く上昇する様式での毛髪の加熱を説明している。
【００２２】
一実施形態において、毛髪の選択的加熱は、光を用いて毛髪を照射することによって達成されてもよく、光の波長又は波長の範囲は、毛髪によって吸収される光の部分が容器１００及び化学化合物１１０によって吸収される光の部分よりも多いように選択される。好ましい実施形態において、毛髪は、例えば毛髪に入射する光の５０％を超える光を容易に吸収しながら、容器１００及び化学化合物１１０はいかなる光も吸収しないか、又は、容器及び化学化合物に入射する光の、例えば１０％未満等、少量のみを吸収する。容器１００及び化合物１１０の吸収作用は、利用可能な光源の１つ又は複数の波長の光を吸収しないようにその化学組成物を調整することによって適合させることができる。種々の実施形態において、光源は、レーザー、レーザーダイオード、ＬＥＤ又はＩＰＬの光源のうちの１つ又は複数の光源を含み得る。皮膚に対する安全上の理由で、光の波長は、好ましくは、４００ｎｍ以上である。
【００２３】
毛髪の選択的加熱は、容器１００及びその中に封じ込められた化合物１１０の温度よりも高い温度まで加熱される毛髪を生じる。毛髪と容器１００との温度差のため、毛髪からの熱の一部が毛髪と熱接触する容器１００に、毛髪及び容器１００が熱力学平衡にあるようになるまで伝達される。容器１００の温度は、選択的加熱を提供する熱源によって直接上昇させられない（又は低い速度でのみ上昇させられる）ため、そのような毛髪の選択的加熱は、容器１００が毛髪からの熱伝達を介してのみその転移温度に達することができるということを確実にする。
【００２４】
毛髪と容器１００との熱接触は、例えば、毛髪に隣接する、すなわち毛髪と接触する容器１００によって確立することができる。容器１００の加熱は、容器１００が毛髪に直接接触していないが、毛髪から容器１００までの熱伝達が例えば対流を介して可能にされるように毛髪の近くにある場合にも確立することができる。本発明のいくつかの適用において、後者のタイプの熱接触は、好ましくは、毛髪と直接接触している容器１００のみが毛髪から十分な熱を受けてその転移温度まで加熱され且つ化合物１１０を放出することができるということを確実にするために最小限にされる。これは、例えば、毛髪を選択的に十分に高い温度まで加熱するが短期間のみ加熱することによって達成することができる。この様式で、毛髪の十分に高い温度は、毛髪に直接接触している容器１００への熱伝達を可能にするため、これらの容器は、その中に封じ込められた化合物１１０を放出するが、毛髪と直接接触していない容器１００への熱伝達は、それらの容器をその転移温度まで加熱するのには十分ではない。その結果、毛髪と直接接触していない容器１００は閉じられたままである。
【００２５】
毛髪にわたって分布された容器１００の一部が、毛髪からの熱伝達を介して、その転移温度（例えば４０〜４５℃の高体温等）に達する場合、これらの容器は、その中に封じ込められた化学化合物１１０を放出する。化学化合物１１０は、例えば、脱毛、ヘアカラー及び／又はヘアコンディショニング等の毛髪処理に対する化合物であり得る。そのような化合物は、化合物が毛髪と接触する場合に、毛髪組織と反応して毛髪組織を分解、着色又は改良するように構成することができる。
【００２６】
好ましい実施形態において、容器１００は、その転移温度が体温よりもはるかに十分高いように選択又は変更され、体と接触することによって容器がその転移温度に達する、且つ、化合物１１０を制御できずに放出するのを回避する。転移温度は体温よりも上、特に皮膚体温よりも上であるべきであるけれども、選択的加熱に曝露された毛髪によって達する最高温度よりも下であるべきでもある。最高温度は、開示された化学化合物１１０を放出する方法の特定の適用に応じて変わってもよい。例えば、毛髪が単に光によって加熱される方法において、最高温度は、３５〜５０℃ほど低くあり得る。しかし、例えばレーザーシェービング等、毛髪が熱によってカットされる適用において、毛髪の温度は、典型的には５０℃よりもはるかに高い毛髪の融解及び／又は蒸発温度に局所的に達してもよい。
【００２７】
一実施形態において、容器１００は、その内腔からの生理活性成分（すなわち化学化合物）のトリガ放出の能力を持つ温度感受性のリポソームの形状であり得る。これらの熱感受性の器は、脂質二重層の融解相転移温度（Ｔｍ）にて、封じ込められた分子を放出する。Ｔｍにて、脂質膜における構造変化が、ゲルから液晶相に移行するに従い発生する。ゲル（すなわち固体様の）相のリポソーム膜は、液晶相と比較して、水及び薬物に対してより透過性が低い。融解相転移温度にて、脂質二重層の膜透過性は数十倍分だけ増し、その結果、以前にその中に封じ込められた化学化合物の放出を促進する。
【００２８】
リポソームのＴｍは、当技術分野においては既知のように脂質二重層の化学組成物を調整することによって適合させることができる。例えば、リポソームの二重層におけるリソホスファチジルコリン（ｌｙｓｏ−ＰＣ）の取り込みは、熱感受性の容器の放出特性に対して顕著な効果を有する。この様式で、３９〜４２℃にて数秒間で封じ込められた水溶性溶質を放出するｌｙｓｏ−ＰＣ／ＤＰＰＣ／ＤＰＰＥ−ＰＥＧ２０００で構成される低温感受性のリポソーム（ＬＴＳＬ）を作製することができる。
【００２９】
容器１００内に封じ込めることができる化学化合物１１０のいくつかの例として、酵素、ホルモン、又は、例えばチオグリコレートのような他の化学物質等、水溶性の構成成分が挙げられる。
【００３０】
図２〜４は、本発明の種々の実施形態による、毛髪上に化学化合物を放出する方法のいくつかの例証的な適用を提供している。しかし、当業者は、放出された化学化合物が毛髪を直接処理しないが後のそのような処理に対する前駆物質として役立ち得る適用等、多くのさらなる適用が可能であり、これらの適用のうち全てが、本発明の範囲内にあるということを認識することになる。
【００３１】
図２は、本発明の一実施形態による、温度によって誘発された温度感受性の容器からの生理活性成分の放出による脱毛を例示している。図２のステップ（１）において示されているように、第一に、（丸いドットによって示された）容器１００が、毛髪及び皮膚にわたって分布される。図２において例示されたステップ（２）において、毛髪は、（長方形として示された）光源を用いて局所的に加熱される。毛髪の局所加熱は、図２のステップ（３）において例示された温度によって媒介された容器からの化学化合物の放出をもたらし、毛髪におけるケラチンのジスルフィド架橋を減らす。図２のステップ（４）において、毛髪は除去され、さらに、容器及び放出された化学化合物の残りは拭き取ることができる。このアプローチは、ＩＰＬ光脱毛装置又はシェービング製品等の脱毛製品において使用することができる。
【００３２】
図３は、本発明の一実施形態による、温度感受性の容器からの毛髪染料、コンディショナー又は治療用物質の放出を例示している。図３のステップ（１）において示されているように、第一に、（ここでも、丸いドットによって示された）容器１００が、毛髪及び皮膚にわかって分布される。図３において例示されたステップ（２）において、毛髪は、（長方形として示された）光源を用いて局所的に加熱され、容器から染料、コンディショナー又は治療用物質を放出している。放出された染料は、例えば毛髪のカラーリングのために使用される場合に美容機能を有し得るか、又は、光脱毛処理の効力を高めるよう役立ち得る。
【００３３】
図４は、本発明の一実施形態による、強化された光脱毛を例示している。この実施形態は、毛髪に対する温度によってトリガされた生理活性成分の放出と光脱毛を組み合わせる。図４のステップ（１）は、毛髪及び皮膚の元の状態を例示している。図４のステップ（２）は、毛髪のプリシェービングを例示しており、残りの刈り株状のものを生じている。図４のステップ（３）は、（ここでも、丸いドットによって示された）容器１００が毛髪及び皮膚にわたって分布されるということを例示している。図４のステップ（４）は、毛髪及び毛包を局所的に加熱し、その結果、容器１００内に封じ込められた毛髪を攻撃する化学化合物の放出を局所的にトリガしている（長方形として示された）光源を例示している。ステップ（５）は、毛髪を溶かしている放出された化学化合物を例示しており、図４のステップ（６）において示されているように、プリシェービング処理のみと比較してより滑らかな皮膚をもたらしている。
【００３４】
原理証明のため、毛髪の存在下での、温度によってトリガされる温度感受性リポソーム（ＴＳＬ）の水溶性内腔からの蛍光分子の放出を、長パルスの商用光脱毛装置及び短パルスの商用光脱毛装置を使用して調査した。長パルスの装置は、１４０から３６０ｍｓのパルス長、１０から３５Ｊ／ｃｍ２の流束量及び８１０ｎｍの波長によって特徴づけられる装置であった。短パルス装置は、２ｍｓのパルス長、３から６Ｊ／ｃｍ２の流束量及び５７０から１２００ｎｍの波長によって特徴づけられる装置であった。
【００３５】
ＴＳＬからの封じ込められた分子の放出を、蛍光分光学によって探った。図５において示されているように、ＴＳＬからの蛍光分子の量的放出を、長パルスの商用光脱毛装置を使用した２０の光パルスの適用後に観察した。ここで、パルス幅は、ほぼ何百ミリセカンド（ｍｓ）程度のものである。予想されるように、ＴＳＬからの蛍光分子の放出は、短パルス光脱毛装置を使用した２０の光パルスの適用後では観察されなかった。これは、その装置におけるパルス幅がたった２ｍｓであるためである。さらに、毛髪の非存在下でのＴＳＬ及び光脱毛装置を用いた対照実験は、いかなる蛍光分子の放出も示さなかった。結論として、ＴＳＬからの封じ込められた蛍光プローブの放出は、長パルスの光脱毛装置を使用した光により毛髪を加熱することによって実証されている。
【００３６】
前記のものは、本発明の実施形態を対象としているけれども、本発明の他の実施形態及びさらなる実施形態が、その基本的な範囲から逸脱することなく考案されてもよい。従って、本発明の範囲は、以下に続く特許請求の範囲によって決定される。
【図１Ａ−１Ｂ】
2015523152.tif 000003
【図２】
2015523152.tif 000004
【図３】
2015523152.tif 000005
【図４】
2015523152.tif 000006
【図５】
2015523152.tif 000007
【手続補正書】
【提出日】平成27年3月10日(2015.3.10)
【手続補正１】
【補正対象書類名】特許請求の範囲
【補正対象項目名】全文
【補正方法】変更
【補正の内容】
【特許請求の範囲】
【請求項１】
化学化合物を放出する方法であって、
前記化学化合物を封じ込める容器を毛髪にわたって分布するステップであり、前記容器は、転移温度に達した後で前記化学化合物を放出するように構成される、ステップと、
前記転移温度以上の所定の温度まで前記毛髪を加熱するステップと、
を含み、
前記毛髪を加熱するステップは、前記毛髪から前記毛髪の近くにある前記容器のうち１つ又は複数の容器への熱伝達を可能にし、それによって、前記１つ又は複数の容器は前記転移温度に達し、さらに、前記化学化合物を放出する、方法。
【請求項２】
前記毛髪は、光を用いて照射されることによって加熱され、前記光の波長又は波長の範囲は、前記毛髪によって吸収される前記光の部分が前記容器及び前記化学化合物によって吸収される前記光の部分よりも多いように選択される、請求項１に記載の方法。
【請求項３】
前記光は、レーザー又はインテンス・パルス・ライトの光源によって生成される光を含む、請求項２に記載の方法。
【請求項４】
前記容器はリポソームを含む、請求項１乃至３のいずれか一項に記載の方法。
【請求項５】
前記リポソームは、ｌｙｓｏ−ＰＣ／ＤＰＰＣ／ＤＰＰＥ−ＰＥＧ２０００を含む、請求項４に記載の方法。
【請求項６】
前記化学化合物は、酵素、ホルモン又はチオグリコレートのうち１つ又は複数の化合物を含む、請求項１乃至５のいずれか一項に記載の方法。
【請求項７】
前記化学化合物は、前記放出された化学化合物と接触している前記毛髪の処理及び／又は除去のために構成される、請求項１乃至６のいずれか一項に記載の方法。
【請求項８】
前記容器を毛髪にわたって分布するステップは、前記毛髪を含む皮膚領域にわたって前記容器を分布するステップを含む、請求項１乃至７のいずれか一項に記載の方法。
【請求項９】
化学化合物を放出するためのアセンブリであって、
毛髪にわたる分布のための局所製剤であり、前記化学化合物を封じ込める容器を含み、前記容器は、転移温度に達した後で前記化学化合物を放出するように構成される、局所製剤と、
使用中、前記毛髪の温度が、前記容器及びその中の化学化合物の温度よりも速く上昇するように、前記転移温度以上の所定の温度まで前記毛髪を選択的に加熱するように構成された熱源と、
を含み、
前記毛髪の加熱の後で、前記毛髪から前記毛髪の近くにある前記容器のうち１つ又は複数の容器までの熱伝達が可能にされ、それによって、前記１つ又は複数の容器は、前記転移温度に達し、さらに、前記化学化合物を放出する、アセンブリ。
【請求項１０】
前記熱源は、光を用いて前記毛髪を照射するための光源を含み、前記光の波長又は波長の範囲は、前記毛髪によって吸収される前記光の部分が前記容器及び前記化学化合物によって吸収される前記光の部分よりも多いように選択される、請求項９に記載のアセンブリ。
【請求項１１】
前記光の波長又は波長の範囲は４００ナノメートルを超える、請求項１０に記載のアセンブリ。
【請求項１２】
前記光源は、レーザー又はインテンス・パルス・ライトの光源を含む、請求項１０又は１１に記載のアセンブリ。
【請求項１３】
前記熱源は圧力波源を含む、請求項９に記載のアセンブリ。
【請求項１４】
前記容器はリポソームを含む、請求項９乃至１３のいずれか一項に記載のアセンブリ。
【請求項１５】
前記局所製剤は、前記容器を含むクリーム、スプレー、ジェル、懸濁液又は溶液を含む、請求項９乃至１４のいずれか一項に記載のアセンブリ。
【手続補正２】
【補正対象書類名】明細書
【補正対象項目名】００１３
【補正方法】変更
【補正の内容】
【００１３】
本発明の別の態様によると、毛髪上に化学化合物を放出するためのアセンブリが提供される。当該アセンブリは、毛髪にわたる分布のための局所製剤及び熱源を含む。局所製剤は、化学化合物を封じ込める容器を含み、容器は、転移温度に達した後で化学化合物を放出するように構成される。熱源は、使用中、毛髪の温度が、容器及びその中の化学化合物の温度よりも速く上昇するように、転移温度以上の所定の温度まで毛髪を選択的に加熱するように構成され、それによって、毛髪から毛髪の近くにある容器のうち１つ又は複数の容器までの熱伝達が可能にされ、１つ又は複数の容器に転移温度まで到達させ、さらに、化学化合物を放出させる。そのようなアセンブリは、例えば光脱毛（ｐｈｏｔｏｅｐｉｌａｔｉｏｎ）装置、又は、光ベースのシェーバー若しくはグルーマー等、光ベースの毛髪処理製品において使用することができる。
【国際調査報告】
2015523152.tif 000008
2015523152.tif 000009
2015523152.tif 000010